(57)【要約】  本発明は、トースタ付電子レンジに関するものである。本発明は、飲食物を調理するためのキャビティと、キャビティ内の飲食物を加熱するための電装品などが設けられる電装室と、キャビティ内部の空気を排出し、電装品を冷却するように構成された排気装置と、キャビティと隣接して設けられ、入口の開放及び閉鎖によってその内部のパンを外部及び内部へ各々移動させるトースタからなるトースタ付電子レンジを提供する。
2005511229.tif 000002
【特許請求の範囲】
【請求項１】
飲食物を調理するためのキャビティと、
前記キャビティ内の飲食物を加熱するための電装品などが設けられた電装室と、
前記キャビティ内部の空気を排出し、前記電装品を冷却するように構成された排気装置と、
前記キャビティと隣接して設けられ、入口の開放及び閉鎖によってその内部のパンを外部及び内部へ各々移動するトースタと、
からなるトースタ付電子レンジ。
【請求項２】
前記電装室は前記電子レンジの上部に設けられた請求項１に記載のトースタ付電子レンジ。
【請求項３】
前記排気装置は、前記電子レンジの上部に設けられた請求項１に記載のトースタ付電子レンジ。
【請求項４】
前記排気装置は、
前記電子レンジの前面に設けられ、複数の吸入口を有するグリルと、
前記電子レンジの後面に外部と連通するように装着され、空気を流動させるためのファンと、
前記ファンを駆動するためのモータを有する排気ファンアセンブリと、
を含む請求項３に記載のトースタ付電子レンジ。
【請求項５】
前記電装室と前記排気装置は、互いに連通する請求項１に記載のトースタ付電子レンジ。
【請求項６】
前記トースタが、
前記キャビティ用ドアと並列に設けられてトースタの入口を開閉するトースタドアと、
前記トースタドアと所定のリンク機構によって連結され、前記トースタドアと連動して前記トースタの外部及び内部へ移動するパントレイと、
を含む請求項１に記載のトースタ付電子レンジ。
【請求項７】
前記トースタドアは、下部を中心として回転する請求項６に記載のトースタ付電子レンジ。
【請求項８】
前記トレイは、前記パンを立てて収容する請求項６に記載のトースタ付電子レンジ。
【請求項９】
前記パントレイが、収容されたパンを支える後方に直立したフランジを更に含む請求項６に記載のトースタ付電子レンジ。
【請求項１０】
前記リンク機構は、
上部に前記パントレイが設けられ、前記トースタの本体内部で往復運動するように構成されるトレイサポートと、
前記ドア及び前記トレイサポートの間を結合する連結レバーと、
を含む請求項６に記載のトースタ付電子レンジ。
【請求項１１】
前記トレイサポートは、前記トースタ本体の両側壁に形成されるスロットに沿って移動する請求項１０に記載のトースタ付電子レンジ。
【請求項１２】
前記スロットは、前記トースタ本体の両側壁の下部に水平に延伸されている請求項１１に記載のトースタ付電子レンジ。
【請求項１３】
前記トレイサポートは、その両側面に形成され前記スロットに挿入されて往復運動を案内するブッシングを含む請求項１１に記載のトースタ付電子レンジ。
【請求項１４】
前記連結レバーは前記ブッシングによって回転自在に結合される第１先端と、前記トースタドアに回転自在に結合される第２先端とを含む請求項１３に記載のトースタ付電子レンジ。
【請求項１５】
前記リンク機構は、前記ドアの復帰を補助するために前記連結レバー及び前記トースタの本体間に結合される弾性部材を更に含む請求項１０に記載のトースタ付電子レンジ。
【請求項１６】
前記弾性部材は、前記連結レバーのトレイサポートと結合する先端と、前記トースタ本体の後方端部との間を結合する請求項１５に記載のトースタ付電子レンジ。
【請求項１７】
マイクロ波キャビティと、
前記マイクロ波キャビティ内の飲食物を加熱するための電装品が設けられた電装室と、
前記マイクロ波キャビティ内部の空気を排出し、前記電装品を冷却するように構成された排気装置と、
前記マイクロ波キャビティに隣接して配置されたトースタと、
前記トースタ内に含まれたトースタケースと、
少なくとも一つの第１開口部と少なくとも一つの第２開口部とを含むトースタフロントと、
前記少なくとも一つの第１開口部を選択的に露出するか遮蔽するトースタドアと、
少なくとも一つのトレイと、
を含めてなり、
前記トースタドアにより前記少なくとも一つの第１開口部が遮蔽されると、前記少なくとも一つのトレイは前記トースタケース内に配置され、前記第１開口部が露出されると、前記少なくとも一つのトレイの一部が前記少なくとも一つの第１開口部を通って前記トースタケースから突き出るトースタ付電子レンジ。
【請求項１８】
前記電装室は、前記電子レンジの上部に設けられた請求項１７に記載のトースタ付電子レンジ。
【請求項１９】
前記排気装置は、前記電子レンジの上部に設けられた請求項１７に記載のトースタ付電子レンジ。
【請求項２０】
前記排気装置は、
前記電子レンジの前面に設けられ、複数の吸入口を有するグリルと、
前記電子レンジの後面に外部と連通するように装着され、空気を流動させるためのファンと、
前記ファンを駆動するためのモータを有する排気ファンアセンブリと、
を含む請求項１９に記載のトースタ付電子レンジ。
【請求項２１】
前記電装室と前記排気装置は、互いに連通する請求項１７に記載のトースタ付電子レンジ。
【請求項２２】
リンク機構を更に含み、前記少なくとも一つのトレイ及び前記トースタドアは前記リンク機構を介して互いに結合した請求項１７に記載のトースタ付電子レンジ。
【請求項２３】
前記リンク機構は、
前記少なくとも一つのトレイを支えるトレイサポートと、
連結レバーと、からなり、
前記トレイサポート及び前記トースタドアは、前記連結レバーを介して互いに結合した請求項２２に記載のトースタ付電子レンジ。
【請求項２４】
前記トースタケース内に配置される少なくとも一つの移動スロットを更に含んでおり、前記トレイサポートが前記少なくとも一つの移動スロットに沿って移動できる請求項２３に記載のトースタ付電子レンジ。
【請求項２５】
前記少なくとも一つの移動スロットは、前記トースタケースの下部に配置される請求項２４に記載のトースタ付電子レンジ。
【請求項２６】
前記少なくとも一つの移動スロットは、前記少なくとも一つのトレイに平行に延伸される請求項２４に記載のトースタ付電子レンジ。
【請求項２７】
前記トレイサポートに結合されるブッシングを更に含んでおり、前記ブッシングは前記少なくとも一つの移動スロット内で移動できる請求項２４に記載のトースタ付電子レンジ。
【請求項２８】
前記連結レバーは第１先端及び第２先端からなり、前記ブッシングは回転自在に前記第１先端に結合され、前記トースタドアは回転自在に前記第２先端に結合される請求項２７に記載のトースタ付電子レンジ。
【請求項２９】
前記連結レバーに結合される弾性部材を更に含んでおり、前記弾性部材は、前記トースタドアを開く時に前記連結レバーに力を加える請求項２８に記載のトースタ付電子レンジ。
【請求項３０】
前記連結レバーの第１先端に結合される弾性部材をさらに含む請求項２９に記載のトースタ付電子レンジ。
【請求項３１】
前記トースタドアは、前記トースタに回転自在に結合されている請求項１７に記載のトースタ付電子レンジ。
【請求項３２】
前記トースタドアの下部に配置された軸を更に含む請求項３１に記載のトースタ付電子レンジ。
【請求項３３】
前記少なくとも一つのトレイの後方に設置されるフランジをさらに含む請求項１７に記載のトースタ付電子レンジ。
【請求項３４】
マイクロ波キャビティと、
前記マイクロ波キャビティ内の飲食物を加熱するための電装品が設けられた電装室と、
前記マイクロ波キャビティ内部の空気を排出し、前記電装品を冷却するように構成された排気装置と、
前記マイクロ波キャビティに隣接して配置されたトースタと、
前記トースタ内に含まれたトースタケースと、
前記トースタケースの前方に配置され、少なくとも一つの第１開口部と少なくとも一つの第２開口部とを含むトースタフロントと、
前記少なくとも一つの第１開口部を選択的に露出するか遮蔽するトースタドアと、
前記第２開口部内に設置されるレバーと、
前記レバーにより前記トースタドアと結合され、前記レバーの予め定めた最小部分は前記少なくとも一つの第１開口部を通って前記トースタケース内に配置される、少なくとも一つのトレイと、
からなるトースタ付電子レンジ。
【請求項３５】
前記電装室は、前記電子レンジの上部に設けられた請求項３４に記載のトースタ付電子レンジ。
【請求項３６】
前記排気装置は、前記電子レンジの上部に設けられた請求項３４に記載のトースタ付電子レンジ。
【請求項３７】
前記排気装置は、
前記電子レンジの前面に設けられ、複数の吸入口を有するグリルと、
前記電子レンジの後面に外部と連通するように装着され、空気を流動させるためのファンと、
前記ファンを駆動するためのモータを有する排気ファンアセンブリと、
を含む請求項３６に記載のトースタ付電子レンジ。
【請求項３８】
前記電装室と前記排気装置は、互いに連通する請求項３４に記載のトースタ付電子レンジ。
【請求項３９】
前記少なくとも一つの第１開口部が遮蔽されると、前記少なくとも一つのトレイは前記トースタケース内に配置され、前記第１開口部が露出されると、前記少なくとも一つのトレイの一部が前記少なくとも一つの第１開口部を通って前記トースタケースから突き出す請求項３４に記載のトースタ付電子レンジ。
【請求項４０】
前記少なくとも一つのトレイを支えるトレイサポートをさらに含めてなり、前記トレイサポートは前記連結レバーと結合している請求項３４に記載のトースタ付電子レンジ。
【請求項４１】
前記トースタケース内に配置される少なくとも一つの移動スロットを更に含み、前記トレイが前記少なくとも一つの移動スロットの設置方向に沿って移動できる請求項３４に記載のトースタ付電子レンジ。
【請求項４２】
前記トースタケース及び前記トースタフロントの間に配置されるケースフロントプレートを更に含み、前記ケースフロントプレートは少なくとも一つの第３開口部及び第４開口部からなり、前記少なくとも一つの第３開口部は前記少なくとも一つの第１開口に対応し、前記少なくとも一つの第４開口部は前記少なくとも一つの第２開口部に対応する請求項４１に記載のトースタ付電子レンジ。
【請求項４３】
前記ケースフロントプレートは、前記少なくとも一つの移動スロットの向いた方向への前記トレイサポートの移動を制限する請求項４２に記載のトースタ付電子レンジ。
【請求項４４】
前記少なくとも一つの移動スロットは、前記トースタケースの下部に配置される請求項４１に記載のトースタ付電子レンジ。
【請求項４５】
前記少なくとも一つの移動スロットは、前記少なくとも一つのトレイに平行に向けられる請求項４１に記載のトースタ付電子レンジ。
【請求項４６】
前記トレイサポートに結合するブッシングを更に含み、前記ブッシングは前記少なくとも一つの移動スロット内を移動できる請求項４１に記載のトースタ付電子レンジ。
【請求項４７】
前記連結レバーは、第１先端及び第２先端からなり、前記ブッシングは、回転自在に前記第１先端に結合され、前記トースタドアは、回転自在に前記第２先端に結合される請求項４６に記載のトースタ付電子レンジ。
【請求項４８】
前記トースタケースの後方に配置されるケースの後方プレートを更に含む請求項３４に記載のトースタ付電子レンジ。
【請求項４９】
弾性部材を更に含んでおり、前記弾性部材は前記連結レバーを前記ケースの後方プレートに弾性的に結合する請求項４８に記載のトースタ付電子レンジ。
【発明の詳細な説明】
【技術分野】
【０００１】
本発明は、トースタ付電子レンジに関するもので、特に、パンをトースタの内部に挿入したり外部に引き出したりする構造を有するトースタ付電子レンジに関するものである。
【背景技術】
【０００２】
一般に、図１に示すように、普通の電子レンジは、マイクロ波による熱を対象物に加える装置である。図１を参照すれば、電子レンジは、対象物がその内部でマイクロ波により加熱されるキャビティ２を含んでおり、キャビティ２はキャビティアセンブリ1内に設置される。キャビティ２はキャビティドア４によって開閉される。マイクロ波加熱を行うための多様な電子装置を含む電装室１０は、キャビティ２の隣に設置され、アウトケース６により遮蔽される。前記電子装置は、マイクロ波を発生するマグネトロン１２、マグネトロン１２に高電圧を供給する高電圧トランス１４、また、キャビティ２の内部に空気流動を生成することにより加熱された電子装置を冷却する送風ファン１６からなる。
【０００３】
通常の電子レンジは図１に示すように、調理対象物をマイクロ波を用いて加熱するので、パンを焼くために使用するには不適切であった。従って、マイクロ波を用いて飲食物を調理したり、加熱できるだけではなくパンを焼ける電子レンジが強く求められてきた。かかるトースト機能を有する電子レンジにおいて、トースト性能も重要であるが、商品価値を高めるためにはユーザの便宜も共に考慮しなければならない。
【発明の開示】
【発明が解決しようとする課題】
【０００４】
本発明は前記諸般題を解決するためのもので、本発明の目的は、トースト機能を有する電子レンジを提供するものである。
【０００５】
また、本発明の他の目的は、焼いたパンをトースタの内部から外へ容易に取り出すことができるトースタ付電子レンジを提供するものである。
【課題を解決するための手段】
【０００６】
前記目的を達成するために本発明は、飲食物を調理するためのキャビティと、キャビティ内の飲食物を加熱するための電装品などが設けられる電装室と、キャビティ内部の空気を排出し、電装品を冷却するために構成された排気装置と、キャビティと隣接して設けられ、入口の開放及び閉鎖によってその内部のパンを外部及び内部へ各々移動するトースタとからなるトースタ付電子レンジを提供する。
【０００７】
ここで、電装室は電子レンジの上部に設けられると共に、排気装置も、電子レンジの上部に設けられる。
【０００８】
排気装置は、電子レンジの前面に設けられ、複数の吸入口を有するグリルと、電子レンジの後面に外部と連通するように装着され、空気を流動させるためのファンと、ファンを駆動するためのモータを有する排気ファンアセンブリとを含むトースタ付電子レンジを提供する。
【０００９】
また、電装室と排気装置は、互いに連通することが望ましい。
【００１０】
より詳しくは、トースタが、キャビティ用ドアと並列に設けられてトースタの入口を開閉するトースタドアと、トースタドアと所定のリンク機構によって連結され、トースタドアと連動してトースタの外部及び内部へ移動するパントレイとを含むトースタ付電子レンジを提供する。
【００１１】
ここで、トースタドアは、下部を中心として回転する。また、トレイは、パンを立てて収容し、パントレイが、収容されたパンを支える後方に直立したフランジを更に含むことが望ましい。
【００１２】
また、リンク機構は、上部にパントレイが設けられ、トースタの本体内部で往復運動するように構成されるトレイサポートと、ドア及びトレイサポートの間を連結する連結レバーとを含む。
【００１３】
かかる機構において、トレイサポートは、トースタ本体の両側壁に形成されるスロットに沿って移動し、スロットは、トースタ本体の両側壁の下部に水平に延伸されている。
【００１４】
トレイサポートは、その両側面に形成されスロットに挿入されて往復運動を案内するブッシングを含む。
【００１５】
連結レバーはブッシングによって回転自在に連結される第１先端と、トースタドアに回転自在に連結される第２先端とを含む。
【００１６】
なお、リンク機構は、ドアの復帰を補助するために連結レバー及びトースタの本体間に連結される弾性部材を更に含むことが望ましい。
【００１７】
弾性部材は連結レバーのトレイサポートと連結する先端と、トースタ本体の後方端部との間を連結する。
【発明の効果】
【００１８】
前記のような本発明により、電子レンジを大きくすることなく、トースタを電子レンジの内に適切に収容する。また、パンをより容易に確実にトースタの外部へ引き出すことができ、製品の信頼性及びユーザの便宜性が向上される。
【発明を実施するための最良の形態】
【００１９】
以下、前記目的が具体的に実施されえる本発明の望ましい実施例について、添付された図面を参照して説明する。
【００２０】
本実施例を説明するにあたり、同一構成については、同一名称および符号が使用され、これによる付加的な説明は下記にて省略される。
【００２１】
図２は、本発明によるトースタ付電子レンジの分解斜視図である。図２を参照すると、キャビティ２２は、キャビティアセンブリ２０に設置され、キャビティ２２内で対象物（飲食物）は、マイクロ波を用いて加熱される。
【００２２】
マイクロ波を発生するための多様な電子装置は、電装室２３内に設置される。また、キャビティ２２に隣接してトースタ３０が設けられ、排気装置１００もキャビティ２２に隣接して設けられる。図２に示すように、電子レンジはまた、フロントプレート２１を含む。
【００２３】
キャビティ２２は、キャビティドア２４によって選択的に開閉される。
【００２４】
キャビティドア２４を閉鎖すると、ドアは、フロントプレート２１と接触することによりキャビティ２２を遮蔽する。キャビティドア２４は、ユーザがキャビティドア２４を自在に開閉するドアハンドル２５を含む。
【００２５】
キャビティアセンブリ２０、電装室２３及び排気装置１００は、電子レンジの上部及び側面外観を形成するアウターケース２７によって覆われる。
【００２６】
このような本発明の電子レンジをより詳しく説明すると次の通りである。
【００２７】
電装室２３は、図示したように、電子レンジの上部に設けられる。実質的に、電装室２３は、キャビティ２２の上部に設けられ、電装室２３の底面は、キャビティ２２の上面と殆ど同じ高さに位置する。これによって電子レンジは、トースタ３０をキャビティの側面に隣接して設けるための十分なスペースを確保できる。このように電装室３２内には、マイクロ波を発生させるマグネトロン２８と、マグネトロン２８に高電圧を印加するための高電圧トランス４６などが設けられる。
【００２８】
排気装置１００は、キャビティ２２内で飲食物の調理時に発生するガスを電子レンジの外部へ排出する役割を果たす。また、排気装置１００は、空気を排出する時に発生する内部空気の流動を用いて、マグネトロン２８及び高電圧トランス２６などを冷却する。このために、排気装置１００は、電装室２３と連通して形成されなければならない。従って、望ましくは電子レンジの上部に設けられる。図示したように排気装置１００は実質的にキャビティ２２の直上に設けられ、電装室２３と連通して互いに並列に配置される。
【００２９】
このような排気装置１００は、図示したように主として、グリル１１０とファンアセンブリ１２０からなる。グリル１１０は、電子レンジの前面に位置し、フロントプレート２１を延伸して形成され得る。
【００３０】
また、グリル１１０は、外部空気を吸入するための複数の第１吸入口１１０ａを有する。排気装置１００は、また、キャビティ２２の上部に形成される複数の補助吸入口１３０を含む。かかる第１吸入口１１０ａと補助吸入口１３０によって、キャビティ２２は、内部の空気を排気できるように電子レンジの外部と排気装置１００とを各々連通する。なお、グリル１１０は、排気装置１００と互いに並んで配置された電装室２３の前部分まで延長され得、複数の第２吸入口１１０ｂがかかるグリル１１０の延長部に形成される。従って、電装室２３は、排気装置１００だけではなく電子レンジの外部とも連通し、排気装置１００による空気流動によって冷却されるように最適化される。ファンアセンブリ１２０は、電子レンジの後面に位置した吐き出し口（図示せず）によって電子レンジの外部に連通する。
【００３１】
ファンアセンブリ１２０は、ファンとファンを駆動するモータを含めて電子レンジの内部に所定方向の空気流動を発生する。
【００３２】
このような排気装置１００において、ファンアセンブリ１２０を駆動すると、発生する吸入力によってグリル１１０を介して外部の空気が電子レンジの内部、即ち、排気装置１００の内部に流れ込む。先ず、第１吸入口１１０ａを介した空気は、ファンアセンブリ１２０に向かって流動し、同時にアセンブリ１２０の吸入力により、キャビティ２２内の空気も補助吸入口１３０を介して排気装置１００の内部へ流れ込む。以降、第１吸入口１１０ａからの空気流動と補助吸入口１３０からの空気流動は、互いに混合されながら、共にファンアセンブリ１２０を通して電子レンジの外部へ排出される。第１吸入口１１０ａの空気流動によってキャビティ２２内の空気は、より安定、且つ円滑に電子レンジの外部へ排出され得る。なお、第２吸入口１１０ｂを介した空気は、電装室２３の内部を流動し、以降に連通した排気装置１００のファンアセンブリ１２０を通して外部へ流出される。このような空気流動によって電装室２３内のマグネトロン２８と変圧器２９などは冷却され得る。
【００３３】
トースタ３０は、上部に位置した電装室２３の下部の余った空間に設けられる。これによって、トースタ３０は、キャビティ３０の側面に隣接し互いに並んで設けられ、これは、ユーザが、本発明の電子レンジをより容易に操作することを可能にする。また、トースタ３０は、フロントプレート２１を貫通するように設置される。トースタパネル３２は、トースタ３０の前方に設置される。トースタパネル３２の外観表面の材質は、キャビティドア２４と同一材質からなる。従って、トースタパネル３２は、キャビティドア２４と共になめらかな前面を形成する。
【００３４】
本発明によるトースタ３０をより詳しく説明すると、次の通りである。
【００３５】
図３は、図２に示した電子レンジに含まれたトースタ３０の分解斜視図を示す。図示のように、トースタパネル３２の後面には固定フック３３があってパネル３２は図２に示した電子レンジのフロントプレート２１に固定され得る。
【００３６】
トースタ３０は、トースタパネル３２にヒンジ結合されるトースタドア４０を有する。かかるヒンジ結合のために、トースタパネル３２は、ヒンジホール３４を有して、トースタドア４０は、ヒンジピン４２を有する。トースタドア４０は、開放及び閉鎖するために、ヒンジピン４２によって形成された軸を中心として回転できる。即ち、実質的に、トースタドア４０は、この下部を中心として回転する。ドアパネル４１の外観表面の材質は、トースタパネル３２と同一である。従って、ドアパネル４１は、キャビティドア２４及びトースタパネル３２と共になめらかな電子レンジ表面を形成する。
【００３７】
ヒンジピン４２は、トースタドア４０が回転しながら開閉するように実質的にドアパネル４１の下部に設置される。ドアパネル４１は、トースタドアハンドル４３を更に含み、ユーザは、トースタドア４０を容易に開閉できる。
【００３８】
トースタ３０はまた、トースタパネル３２の後方に設置されるトースタケース５０を含む。トースタケース５０は、電装室２３の前側に該当するフロントプレート２１の一部を介してトースタパネル３２と結合する。トースタケース５０は、金属材質からなり、各パンを焼くための空間を提供する。
【００３９】
ケースフロントプレート５１は、トースタケース５０の前方に設置される。ケースフロントプレート５１は、２つのケースの入口５２を含み、これを介して各々のパンは、トースタケース５０の内部に出し入れされる。なお、ケースリアプレート５３はトースタケース５０の後方に設置される。
【００４０】
金属材質からなるトースタフロント６０は、ケースフロントプレート５１上に設置され、トースタパネル３２の内側に位置する。トースタフロント６０は、トースタドア４０が開放されると露出し、図３に示すように、２つの矩形のトースタ入口６２を有する。トースタ入口６２は、ケースフロントプレート５１のケースの入口５２に連結される。また、プロテクタ６５が、トースタフロント６０とトースタパネル３２との間に設置される。プロテクタ６５は、トースタフロント６０からトースタパネル３２に伝達される熱を遮断するための絶縁材料からなる。
【００４１】
トースタ３０はまた、トースタケース５０の内部に設けられる少なくとも一つのトレイ７４を含む。トレイ７４は、トースタ３０の内部でパンが焼かれる間、パンを安定的に支える。図３には２つのトレイ７４が図示されているが、必要によってトレイ７４は複数設けられる。
【００４２】
トースタ３０は、トースタケース５０の内部に設けられパンを焼くための熱を発生するヒータ８０を含む。ヒータ８０には熱を発生するために熱線が巻かれる。ヒータ８０は、パンの両面に各々熱を加えるようにパンの両面に対応する位置に各々設けられる。
【００４３】
望ましくは、図３に示したトースタ３０は、トースタパネル３２の下部を通ってトースタケース５０の下部に設置されるパン粉のホールダ９０を更に含む。ホールダ９０の前方には、ヒンジピン４２との間にホールダハンドル９２が提供される。ユーザは、ホールダ９０を取り出すために、ハンドル９２を引っ張ってホールダ９０を明けて、トースタケース５０の内部にホールダ９０を位置させるために再び押し込める。ホールダハンドル９２の表面材質もまた、ドアパネル４１と同一である。
【００４４】
なお、上述したトースタ付電子レンジは、パンを焼く機能をユーザに提供できるが、使用上の問題を有する。即ち、一旦トースタ３０の内部でパンが焼き終わると、内部の温度が非常に高くなるのでパンを取り出しにくい。特にユーザが、トースタ３０の内部に手を入れてパンを取り出す場合は、入口が非常に狭くてこのような作業は非常に煩わしく、特にトースタ内部の高温のため、火傷をするおそれがある。
【００４５】
従って、パンが容易に引き出せるように、トレイ７４は、トースタ３０の外部又は内部へ移動できることが望ましい。また、ドア４０の作動と共に、トレイ７４が移動できることがユーザの便宜の上、更に望ましく、このために電子レンジは、ドア４０とトレイ７４とを連動するリンク機構を含む。
【００４６】
より詳しくは、リンク機構は、トースタ本体即ち、トースタケース５０の内部で往復運動できるように構成されるトレイサポート７０と、ドア４０及びトレイサポート７０の間を連結する連結レバー７６を含む。
【００４７】
先ず、トレイサポート７０の平坦面上に複数の固定スリット７０’が形成され、トレイ７４の下面には複数の固定フック７４’が形成される。スリット７０’が固定フック７４’と結合することにより、トレイ７４は、トレイサポート７０上でトレイサポート７０と共に移動できるように安全に結合される。なお、移動自在なトレイ７４の後端には、支持フランジ７５が形成される。支持フランジ７５は、トレイ７４が外部へ移動するときパンの後方を支える。従って、パンがトレイ７４上で慣性により倒れず安定して支持される。
【００４８】
また、実際に、トレイサポート７０は、トースタケース５０の両側壁に形成されるスロット５４に沿って移動する。スロット５４は、図示したようにトレイサポート７０の安定した往復運動のためにトースタケース５０の両側壁の下部に水平に延伸されている。かかるスリット５４と連動できるように、２つの結合部７１が、トレイサポート７０の左右側に各々設置され、ブッシング７２が、各結合部７１の先端に設置され、スリット５４に各々挿入される。各々のブッシング７２は、トレイサポート７０を支え、トースタケース５０の各側面に設置された移動スロット５４に沿って移動する。
【００４９】
実際に移動スロット５４に挿入される各ブッシング７２の形状は、移動スロット５４に沿って移動する時、ブッシング７２とトレイサポート７０が回転しないように形成される。より詳しくは、ブッシング７２のスロット５４の挿入部は、移動スロット５４の幅と大体同一の幅及び所定の長さ、及び六面体の形状を有することが望ましい。これによってトレイ７４は移動スロット５４にいつも平行して移動できる。
【００５０】
また、トレイサポート７０はトースタケース５０の前方幅と同一の幅を有し、これによって前方に移動中にケースフロントプレート５１の下部に引っかかる。従って、トースタドア４０が完全に開放されたとき、トレイサポート７０はケースフロントプレート５１の前方に突出しないが、プレート５１の上部のトレイ７４はパンを取り出せるように入口５２、６２から外部へ所定の長さだけ突出する。
【００５１】
連結レバー７６は、ブッシング７２に回転自在に連結される第１先端とトースタドア４０に回転自在に連結される第２先端を含む。また、トースタフロント６０及びケースフロントプレート５１の下部には、レバスロット６４，５１ａが形成される。従って、連結レバー７６は、レバースロット６４、５１ａを貫通してブッシング７２とドア４０を連結し、ドア４０回転によってトレイサポート７０が動けるようにスロット６４，５１ａ内を移動する。
【００５２】
なお、リンク機構は、望ましくは連結レバー７６及びトースタケース５０の間を結合する弾性部材７９を更に含む。弾性部材７９は、連結レバー７６のトレイサポート７０と結合する先端と、トースタ本体の後方端部との間を結合する。即ち、図４及び図５に示すように、弾性部材７９の各先端は、ブッシング７２に結合される連結レバー７６の第１先端とトースタケース５０の後端に各々結合される。より詳しくは、弾性部材７９の第１先端は連結レバー７６の第１先端に形成されるスプリングフック７７に結合され、第２先端はケースの後方プレート５３の下部に形成されるスプリングフック５３’に結合される。従って、弾性部材７９はトースタドア４０が開放された時、スプリングフック７７、５３’の間で延伸し、トースタドア４０が閉鎖された時に収縮しながらドア４０が強制的に閉鎖するように連結レバー７６の第１先端に力を加える。結果として弾性部材７９はドア４０の閉鎖状態への復帰を補助する。
【００５３】
上述したリンク機構によってトースタドア４０を開放または閉鎖する時、トレイ７４は、トースタケース５０の内部への自由な出し入れが可能となる。即ち、トースタの入口６２、５２が開放及び閉鎖されるたびに、パンをトースタ３０の内部及び外部へ移動することができる。
【００５４】
以下、前記したような構成を有する本発明のトースタ付電子レンジの作用を説明する。
【００５５】
図４に示すように、最初は入口５２、６２はトースタパネル３２の前方に設置されたトースタドア４０によって閉鎖されていると仮定する。
【００５６】
次にパンが焼き終わった後、トースタドアハンドル４３を引っ張ると、トースタドア４０を開放する。即ち、トースタドア４０は図５に示すように、ヒンジピン４２及びヒンジ孔３４を中心として回転しながら入口５２、６２を開放する。同時にトースタドア４０に結合された連結レバー７６が、トースタドア４０によって引っ張られて弾性部材７９の弾性力に打ち勝ってレバースロット５１ａ、６４を通って突き出る。
【００５７】
また、連結レバー７６が移動することによって、連結レバー７６の第１先端に結合されたブッシング７２が、スロット５４に沿って移動しながらトレイサポート７０をトースタケース５０の先端に移動する。このようにすると、トレイサポート７０上に設けられたトレイ７４の一部が、入口６２の前方に一定の長さだけ突き出る。従って、トレイ７４に置かれたパンはトースタドア４０の回転とともにトースタケース５０の外部に移動し、ユーザは焼きたての熱いパンを火傷せずに取り出しやすくなる。
【００５８】
なお、フランジ７５は図４及び図５に示すように、パンの後端を支持する。従って、パンが焼き終わった後、トースタドア４０を開放した時に、より確実に取り出せる。即ち、例えば、パンがトレイ７４に些か斜めに置かれて、先端の片側が入口５２の周辺に引っかかった場合でも、後方フランジ７５は、パンの後端を押し付けることにより、トースタケース５０の内部からパンを引き出すことができる。
【００５９】
なお、丸いベーグルを焼く場合、ベーグルとトレイ７４との間の接触面積が少なくてトースタドア４０を開放したとき、ベーグルは慣性によってトレイ７４からはみ出しやすい。かかる場合にもフランジ７５は、ベーグルを引き出すようにその後端を押し付ける。また、ベーグルが入口５２に引っかかる場合にも、フランジ７５は前記説明と同一に作用する。
【００６０】
以上本発明の好適な一実施態様について説明したが、前記実施態様に限定されず、本発明の技術思想に基づいて種々の変形が可能である。
【産業上の利用可能性】
【００６１】
本発明の電子レンジは、トースタを具備することによって飲食物の加熱だけではなく、パンを焼くこともできる。従って、本発明は、電子レンジの用途を更に拡張してユーザが便利になる。
【００６２】
本発明では、電装室が排気装置と共に電子レンジの上部に配置され、かかる配置によって形成される空間内にトースタが取り付けられる。即ち、このような空間利用により、電子レンジを大きくしなくてもトースタを電子レンジ内に適切に収容し得る。これと共に、トースタは、ユーザが容易に操作できるようにキャビティの側面に並んで配置され得る。
【００６３】
また、本発明によるトースタ付電子レンジでは、トースタドアの開閉と連動してトレイがトースタの内部及び外部へ移動するので、トースタの内部で焼かれたパンを取り出しやすくなる。また、トレイの後端に形成されたフランジは、パンの取り出しを更に確実にする。従って、本発明によるユーザの便宜性及び電子レンジ自体の作動信頼性を大きく向上する効果が得られる。
【図面の簡単な説明】
【００６４】
【図１】一般的な電子レンジを示す分解斜視図である。
【図２】本発明によるトースタ付電子レンジを示す斜視図である。
【図３】図２に示した電子レンジに含まれたトースタを示す分解斜視図である。
【図４】パンがトースタ内部に入っている状態を示すトースタの側面図である。
【図５】パンがトースタから取り出された状態を示すトースタの側面図である。
【図１】
2005511229.tif 000003
【図２】
2005511229.tif 000004
【図３】
2005511229.tif 000005
【図４】
2005511229.tif 000006
【図５】
2005511229.tif 000007
【国際調査報告】
2005511229.tif 000008
2005511229.tif 000009